(57)【特許請求の範囲】
【請求項１】
第１デジタル無線ユニットを有する第１ステーションと、
前記第１ステーションと無線通信を行う第２デジタル無線ユニットを有する第２ステーションと、
を備えた音声通信および非音声通信用のデジタル通信システムにおいて、
前記システムは、二つの前記ステーションのいずれか一方からのセットアップ要求により少なくとも１つの無線チャネルをセットアップし、
接続要求により前記少なくとも１つのセットアップされた無線チャネルにおいて音声モードおよび／または非音声モードで第１ステーションおよび第２ステーションを接続し、
前記少なくとも１つのセットアップされた無線チャネルの少なくとも１つにおいて送られる更なる接続要求により、前記少なくとも１つのセットアップされた無線チャネルの少なくとも１つにおいて、該少なくとも１つのセットアップされた無線チャネルを解放することなく前記音声モードおよび／または非音声モードを切り替えること、を特徴とするデジタル通信システム。
【請求項２】
第１デジタル無線ユニットを有する第１ステーションと、当該第１ステーションと無線通信を行う第２デジタル無線ユニットを有する第２ステーションと、
を備えた音声通信及び非音声通信用のデジタル通信システムであって、
前記システムは、２つの前記ステーションのいずれか一方からのセットアップ要求により少なくとも２つのチャネルをセットアップし、
接続要求により前記少なくとも２つのチャネルにおいて音声モード及び/又は非音声モードで前記第１ステーション及び第２ステーションを接続し、
更なる接続要求により、前記少なくとも２つのチャネルの少なくとも１つにおいて、該少なくとも２つのチャンネルを解放することなく音声モード及び／又は非音声モードを切り替え、
これにより、非音声モードにおいて信頼性のあるデータ通信を行うデジタル通信システム。
【請求項３】
信頼し得るデータプロトコルを適用することによってシステムが非音声モードにおいて信頼し得るデータを交換する請求項１又は２記載のデジタル通信システムであって、
前記信頼し得るデータプロトコルは、非音声データへの誤り訂正コードの付加、交換されたデータの受信報告、および破損データの再送信の少なくとも１つを含む、デジタル通信システム。
【請求項４】
前記第１ステーションは電話送受器および対話式グラフィックタブレットを有する請求項１から３のいずれか一項に記載のデジタル通信システム。
【請求項５】
前記第２ステーションはパーソナルコンピュータに結合される請求項１から４のいずれか一項に記載のデジタル通信システム。
【請求項６】
前記パーソナルコンピュータは所定のユーザプログラムに従って動作し、
前記第２ステーションは前記対話式グラフィックタブレットで前記パーソナルコンピュータの入出力機能をエミュレートする、
請求項５に記載のデジタル通信システム。
【請求項７】
前記システムはスタンドアロンシステムである請求項１から６のいずれか一項に記載のデジタル通信システム。
【請求項８】
前記第１ステーションが移動式ステーションである、コードレスまたは携帯電話システムである請求項１から６のいずれか一項に記載のデジタル通信システム。
【請求項９】
前記システムはＤＥＣＴ型システムである請求項１〜８のいずれか一項に記載のデジタル通信システム。
【請求項１０】
他の通信ステーションのデジタル無線ユニットとの無線通信のためのデジタル無線ユニットを有する音声通信および非音声通信用のデジタル通信システムに用いる通信ステーションであって、
前記通信ステーションは、セットアップ要求を、該セットアップ要求により少なくとも１つの無線チャネルをセットアップする前記他の通信ステーションに送り、
前記通信ステーションは、更に、接続要求を、該接続要求により、前記少なくとも１つのセットアップされた無線チャネルの少なくとも１つにおいて音声モードおよび／または非音声モードで前記通信ステーションに接続する前記他の通信ステーションに送り、
前記通信ステーションは、更に、前記少なくとも１つのセットアップされた無線チャネルの少なくとも１つにおいて送られる更なる接続要求を、前記少なくとも１つのセットアップされた無線チャネルを解放することなく、該更なる接続要求において前記少なくとも１つのセットアップされた無線チャネルの少なくとも１つにおける前記音声モードおよび／または非音声モードが切り替えられる前記他の通信ステーションに送ること、を特徴とする通信ステーション。
【請求項１１】
他の通信ステーションのデジタル無線ユニットとの無線通信のためのデジタル無線ユニットを有する、音声通信及び非音声通信用のデジタル通信システムに用いる通信ステーションであって、
前記通信ステーションは、セットアップ要求を、該セットアップ要求において少なくとも２つのチャネルをセットアップする前記他の通信ステーションへ送り、
前記通信ステーションは、更に、接続要求を、前記少なくとも２つのチャネルの少なくとも１つにおける該接続要求において音声及び／又は非音声モードで、前記通信ステーションと接続する前記他の通信ステーションに送り、
前記通信ステーションは、更なる接続要求を、該更なる接続要求において前記少なくとも２つのチャネルのうち前記少なくとも１つにおいて該少なくとも２つのチャネルを解放することなしに音声モード及び／又は非音声モードを切り替える前記他の通信ステーションに送る通信ステーション。
【請求項１２】
他の通信ステーションのデジタル無線ユニットとの無線通信を行ためのデジタル無線ユニットを有する音声通信および非音声通信用のデジタル通信通信システムに用いる方法であって、
前記通信ステーションは他の通信ステーションにセットアップ要求を送り、
前記他の通信ステーションは前記セットアップ要求により少なくとも１つの無線チャネルをセットアップし、
前記通信ステーションは更に前記他の通信ステーションに接続要求を送り、
前記他の通信ステーションは、前記通信ステーションと、前記接続要求における少なくとも１つのセットアップされた無線チャネルの少なくとも１つで音声モードおよび／または非音声モードにおいて接続し、
前記通信ステーションはさらに前記他の通信ステーションに対し、前記少なくとも１つのセットアップされた無線チャネルの少なくとも１つにおいて送られる更なる接続要求を送り、
前記他の通信ステーションは、前記少なくとも１つのセットアップされた無線チャネルを解放することなく、前記更なる接続要求において、前記少なくとも１つのセットアップされた無線チャネルの少なくとも１つで前記音声モードおよび／または非音声モードを切り替えること、を特徴とする方法。
【請求項１３】
他の通信ステーションのデジタル無線ユニットとの無線通信のためのデジタル無線ユニットを有する、音声通信及び非音声通信用のデジタル通信システムに使用される通信ステーションにおいて用いる方法であって、
前記通信ステーションは、セットアップ要求を、前記他の通信ステーションへ送り、
前記他の通信ステーションは、該セットアップ要求において少なくとも２つのチャネルをセットアップし、
前記通信ステーションは、更に、接続要求を、前記他の通信ステーションに送り、
前記他の通信ステーションは、該接続要求において、前記少なくとも２つのチャネルの少なくとも１つにおける音声及び／又は非音声モードで前記通信ステーションと接続し、
前記通信ステーションは、更に、更なる接続要求を、前記他の通信ステーションに送り、
前記他の通信ステーションは、該更なる接続要求において、該少なくとも２つのチャネルを解放することなしに、前記少なくとも２つのチャネルの前記少なくとも１つにおいて音声モード及び／又は非音声モードを切り替える方法。
【請求項１４】
第１及び第２のステーションを有する無線通信システムであって、
前記第１及び第２ステーションの一方から該第１及び第２ステーションの他方への第１の通信のための第１の要求に応じて、音声信号及びデータ信号の一方を搬送するために、前記第１及び第２ステーション間でチャネルがセットアップされ、
前記チャネルは、該チャネルを解放することなしに、前記第１の通信が一時的に停止させられる間、前記セットアップされたチャネルにおいて送信される第２の要求に応じて、第２の通信のために使用される、無線通信システム。
【請求項１５】
第１及び第２のステーションを有する無線通信システムであって、
前記第１及び第２ステーションの一方から該第１及び第２ステーションの他方への第１の通信のための第１の要求に応じて、音声信号及びデータ信号の一方を搬送するために、前記第１及び第２ステーション間で少なくとも２つのチャネルがセットアップされ、
前記少なくとも２つのチャネルのうちの１つは、該少なくとも２つのチャネルを解放することなしに、前記第１の通信が前記少なくとも２つのチャネルの他のチャネルで継続している最中であっても、第２の要求に応じて、第２の通信のために使用される、無線通信システム。
【発明の詳細な説明】
発明の技術分野
本発明は第１デジタル無線ユニットを有する第１ステーションと、この第１ステーションとのワイヤレス通信のために準備された第２デジタル無線ユニットを有する第２ステーションとを具える、音声および非音声通信用のデジタル電気通信システムに関するものである。かかるシステムは、いわゆるＤＥＣＴ（デジタルヨーロッパコードレス電話）システムであるコードレス電話システム、セルラー移動無線システム、スタンドアロンローカルワイヤレスシステムまたは同様の技術を適用するワイヤレスＬＡＮ、かかるシステムの組合せ、マルチメディアシステム、又はその他任意の好適なシステムであるといえる。
さらに、本発明はかかるシステムに用いる無線ステーションおよびかかるステーションに用いる方法に関するものである。
発明の背景
この種のデジタル通信システムはヨーロッパ特許出願公開EP 0 613 393号から既知である。このヨーロッパ特許出願公開EP 0 613 393号では、非音声データパケットをいわゆるデータフォーンによってセルラー音声回線網で伝送するが、音声通信は音声フォーンを経て行っている。既知のシステムでは、空き音声チャネルのプールをデータフォーンに対してリザーブし、デジタルデータ伝送を必要とする際データフォーンによってプールから空きチャネルを獲得するようにしている。空きチャネルが獲得できなかった場合には、データフォーンによって数秒以内に再び空きチャネルの獲得を試みる。かかるシステムは、音声および／または非音声データ通信間の動作モードを迅速に変化させる必要がある、単一のステーションを介した音声および非音声が混在されたデータ通信のためには、極めて好適ではない。特に、マルチメディア通信ではステーションは、極めて迅速な通信が必要な場合に動作モードを極めて迅速に変化させ得るようにする必要がある。
また、ＥＴＳＩ（ヨーロッパ電気通信標準協会）によって標準規格化されたＤＥＣＴコードレス電話システムも既知である。かかるＤＥＣＴシステム、ＴＤＭＡ（時分割多重アクセス）ＴＤＤ（時分割二重）システムでは、音声および非音声通信を個別の標準規格で標準化している。音声通信または任意の他のリアルタイム通信に対しては、一連のデータの流れを保証する必要があるが、非音声データ通信に対しては無線リンクが極めて信頼性のあることを保証する必要がある。この目的のため、ＤＥＣＴデータ標準規格により種々のデータフォーマットおよびプロトコルを記述してデータ通信リンクを信頼性のあるものとしている。しかし、特にマルチメディア通信の用途において、どのようにして、システムを、素早く通信のニーズを切り替えるために好適なものにするのかというということについては何ら記載されていない。
本発明の目的は通信のニーズが素早く切り替わる音声および非音声データの混合された通信に好適な、上述した種類のデジタル通信システムを提供せんとするにある。
発明の概要
この目的のため、本発明は、第１デジタル無線ユニットを有する第１ステーションと、前記第１ステーションと無線通信を行う第２デジタル無線ユニットを有する第２ステーションと、を備えた音声通信および非音声通信用のデジタル通信システムにおいて、前記システムは、二つの前記ステーションのいずれか一方からのセットアップ要求により少なくとも１つの無線チャネルをセットアップし、接続要求により前記少なくとも１つのセットアップされた無線チャネルにおいて音声モードおよび／または非音声モードで第１ステーションおよび第２ステーションを接続し、更なる接続要求により前記少なくとも１つのセットアップされた無線チャネルの少なくとも１つにおいて、該少なくとも１つのセットアップされた無線チャネルを解放することなく前記音声モードおよび／または非音声モードを切り替え、信頼し得るデータプロトコルを適用することによってシステムが非音声モードにおいて信頼し得るデータを交換すること、を特徴とする。本発明は、接続が最初に解放されなければ、音声通信モードから非音声通信モードへの切換えおよびその逆の切換えを行う際、かなりの時間が節約されると云う見識に基づく。従って、モードを切換えるアプリケーションからの要求は極めて迅速にかなえられる。例えば、非音声データ通信用の２つのチャネルが１つのステーションに対して初期セットアップされている場合には音声伝送が要求されると直ちに１つのチャネルが音声伝送にダイナミックに割当てられるようになるが、非音声伝送は遮断されず、低い伝送レートでのみ作動するようになる。３つの初期セットアップチャネルに対しても状況は良好となる。その理由は非音声通信のデータレートが一層ゆるやかに適応されるからである。ＤＥＣＴ技術を適用する場合、本発明は、現在のステーションの近くに位置する他のＤＥＣＴ装置が決してモード切換えされないという大きな利点を有し、従って本発明によるシステムは、ＤＥＣＴ型の承認において、従わなければ成らないＤＥＣＴ  ＣＴＲ06共存標準規格に完全に従う。音声通信は音声信号、音楽信号その他同様のリアルタイム信号を含むものとする。
本発明によるデジタル通信システムの一例では、信頼性のあるデータプロトコルは、非音声データ、確認切換えデータ又は再伝送破損データにエラー補正符号を加えることの少なくとも１つを含む。斯様にして非音声データの信頼性のある伝送を保証し得るようにする。
本発明の典型的な有利な使用の１つはステーションにおける無線電話機および対話式グラフィカルタブレットの組合せ、および他のステーションにおける無線ユニットおよびパーソナルコンピュータの組合せである。斯様にして対話式グラフィカルタブレットを遠隔装置として用いてパーソナルコンピュータへの入力またはパーソナルコンピュータからの出力をエミュレートすることができる。また、斯様にしてパーソナルコンピュータを遠隔制御して例えばＷＩＮＤＯＷＳTM下でアプリケーションを実行することができる。セキュリティの観点から、パーソナルコンピュータが設置されている部屋を出る前にパーソナルコンピュータのローカルキーボードを封鎖することができる。
本発明によるデジタル通信システムの他の例では、所望に応じイーサネット回線網のような回線網に結合した、遠隔ＷＩＮＤＯＷＳTMアプリケーション等と同様のローカルスタンドアロン環境、または無線電話環境、あるいは携帯電話環境等において、ステーションは互いに通信することができる。本発明は、また、他のシステムコンポーネントとともに使用すべき分離したモジュールにおいて実現することができる。かかるモードの１つはパーソナルコンピュータのスロットに挿入されるＰＣＭＣＩＡ（パーソナルコンピュータメモリカード国際会議）モジュールとすることができ、他のモジュールは例えばＤＥＣＴ無線および対話式グラフィカルタブレット間に結合するモジュールとすることができる。
【図面の簡単な説明】
図１は本発明によるデジタル通信システムを概略的に示す。
図２は本発明による第１および第２ステーションを示す。
図３は本発明によるシステムにおける接続セットアップおよび変形を示す。
図４は本発明によるシステムにおける音声および非音声データのメッセージフォーマットを示す。
図５は本発明によるシステムにおける２つのステーション間での信頼性のある非音声データ転送のためのスライド式ウインドウプロトコルを示す。
発明を実施するための最良の形態
図１は第１ステーション２および第２ステーション３を具える本発明によるデジタル通信システム１を概略的に示す。第１ステーション２は第１デジタル無線ユニット４を有し、第２ステーション３は第２デジタル無線ユニット５を有し、これらデジタル無線ユニット４および５は音声通信モードおよび非音声通信モードの双方において互いに無線通信できるようにして例えばマルチメディア通信を行い得るようにする。無線ユニット４および５はいわゆるＤＥＣＴ標準規格を実行する無線ユニット、即ち、ＥＴＳＩによる標準規格化されたエアインタフェースであるが、ＧＳＭ（汎ヨーロッパデジタル化移動体通信システム）のような他の好適な無線標準規格のエアインタフェースを実現することができる。所定の例では、デジタル無線ユニット４および５はＤＥＣＴ標準規格に従って作動する。ＤＥＣＴの詳細な記載、特に音声通信は、特に、ハンドブック“ヨーロッパのコードレス電話”H.W.Tuttlebbe,Springer Verlag,1990,Appendix 3,pp.273-284を参照されたい。このハンドブックの第２７８頁には、ＤＥＣＴ物理層が簡単に記載されており、且つ、ダウンリンクおよびアップリンク方向に二重の12タイムスロットのマルチキャリアＴＤＭＡ，ＴＤＤ，ＤＥＣＴフレーム構体および音声用のＤＥＣＴメッセージフォーマットが示され、かかる構造は公知技術である。このハンドブックの第279および280頁には無通話時モードにおけるベースステーションに対する送受器のロッキングおよび呼セットアップが主として記載されている。非音声の信頼性のあるデータ通信に対しては、例えば、24kbit/s正味の最大単方向スループットでのいわゆるTypeＡデータ転送を記載するＤＲＡＦＴ  ＤＥＣＴ標準規格prＥＴＳ300 435，1994年，9月，pp．1-13、およびいわゆるＤＥＣ  ＴＭＡＣ層（媒体アクセス制御）の多重化並びに未保護および保護データフォーマットを示すＥＴＳＩ  ＤＥＣＴ標準規格ＥＳＴ300 175-3，1992年，p.1およびpp.43-52を参照されたい。第１ステーション２はデジタル無線ユニット４に結合された対話式グラフィカルタブレット６を具える。このタブレット６はプロセッサ、ＲＯＭおよびＲＡＭメモリ並びにＩ／Ｏ−ポートを具え、表示機能およびタブレットとのデジタル転送機能を制御するマイクロコントローラ６Ａに結合する。かかるマイクロコントローラは公知である。また、前記対話式グラフィカルタブレットは米国特許Ｎｏ.5,231,381から公知である。第２ステーション３はデジタル無線ユニット５に結合されたパーソナルコンピュータ７を具える。一例では、ステーション２および３の組合せは遠隔制御パーソナルコンピュータとして用いてことができると同時に遠隔ステーションおよび他のステーション間の音声通信をも行うことができる。本実施例では、送受器８がステーション２に結合され、ステーション３がローカルエリアネットワーク、公衆交換回線網、又は音声トラフィックのためのネットワークに接続される。パーソナルコンピュータでは、対話式グラフィカル表示装置６によって遠隔制御されるプログラムを実行する。例えば、パーソナルコンピュータ７、ＰＣディスプレイをエミュレートする対話式グラフィカルタブレット６、およびキーボードにはＷＩＮＤＯＵＷＳTMを適用することができる。システム１はスタンドアロンシステム、コードレス電話システムあるいはセルラー電話システムとすることができる。図１にはさらに他の端末構成をも示す。デジタル無線ユニット１０、対話式グラフィカルタブレット１１および送受器１２を具えるステーション９は公衆交換通信ネットワーク１４に結合されたＤＥＣＴ基地ステーション１３と通信し得る。ステーション９は音声および非音声データの混合通信を行い得る。送受器１２は通常の電話受話器、受話器のない電話機等とすることができる。かかる送受器は既知である。ステーション１５はデジタル無線ユニット１６及びパーソナルコンピュータ１７を具え、公衆交換通信ネットワーク１４に結合されたＤＥＣＴ基地ステーション１８と通信し得る。ステーション９はパーソナルコンピュータ１７の遠隔入出力装置として使用することができると同時に音声通信を行い得るようにする。パーソナルコンピュータ１９はイサーネット２０を経て公衆交換通信ネットワークに結合することが示される。またステーション９は、コンピュータ１９とのデータ通信が可能とされる。さらに本発明によればステーション２２を設け、これをいわゆる基幹回線を有する自動式構内交換設備ＰＡＢＸ２６に結合された基地局２３，２４および２５と通信し得るように配設し、基地局２３，２４および２５により形成されたマイクロ−セルラー回線網において、ステーション２２をローミング可能にする。かかるＰＡＢＸは米国特許5,418,838に記載されている。本発明の他の例では、本発明による対話式無線局を用いて、電話で株を注文しながら同時に株式市場からの最新情報を得ることができ、また、音声通信を行いながら同時にパスポートの写真やパスポートのデータが中央データベースでチェックされ得る、空港におけるセキュリティー環境のもとで用いるか、または中断されないトラフィックによる音声および非音声混合通信を必要とする同様のアプリケーションにおいて用いることができる。従って、本発明によればすべてのリソースを最初に解放することなく、リアルタイム音声トラフィックおよび信頼性のある非音声データトラフィック間で割当てられた無線リソースを切換えることができる。
図２は本発明による第１および第２ステーション２および３をさらに詳細に示す。第１ステーション２はアンテナ３１および制御ユニット３２に結合された無線フロントエンドユニット３０を具える。制御ユニット３２は無線フロントエンドユニット３０とのデータ流を制御するＤＥＣＴ−コントローラ３３を具える。チャネルがセットアップされる際に、かかるチャネルは所定の周波数とタイムスロットとの組合せを占有する。ＤＥＣＴ−コントローラ３３を音声コーデック（符号化／復号化器）３４に結合し、これによって送受器８からＤＥＣＴ−コントローラ３３へのデジタル音声データを符号化するとともにＤＥＣＴ−コントローラ３３から送受器８へのデジタル音声データを復号化する。ＤＥＣＴの場合にはコーデック３４を３２kbit/sの全スロットビットレートのいわゆるＡＤＰＣＭ（適応差分パルス符号変調）コーデックとする。さらに、ＤＥＣＴ−コントローラ３３はバッファ３５に結合して、対話式グラフィカルタブレット６のような外部装置へのユーザデータ兼制御データ路を提供する。さらに、制御ユニット３２はＲＯＭ／ＲＡＭメモリ３８に結合されたプロセッサ３７を具える。このプロセッサ３７によって、コーデック３４、ＤＥＣＴ−コントローラ３３、バッファ３５、およびユーザデータ兼制御データ路３６を制御する。このユーザデータ兼制御データ路３６はパラレル８ビットＩ／Ｏ路、シリアルＩ／Ｏ路または命令およびデータ用の任意の他の好適なＩ／Ｏ路とすることができる。プロセッサ３７によってユーザデータ兼制御データ路３６を経て受信した制御データを評価し得るとともにＤＥＣＴ−コントローラ３３のスイッチ機能を制御してセットアップチャネルまたは無線リソースのうちの１つへのコーデック路をダイナミックにスイッチオン／オフするとともにコーデック路３６を経てセットアップチャネルに受信されるユーザデータを少なくとも一部ダイナミックにスイッチオン／オフし得るようにする。同様に第２ステーション３は無線フロントエンドユニット４０、アンテナ４１および制御ユニット４２を具える。制御ユニット４２はＤＥＣＴ−コントローラ４３、コーデック４４、バッファ４５、およびユーザデータ兼制御データ路４６およびＲＯＭ／ＲＡＭメモリ４８を具える。ユーザデータ兼制御データ路４６はパーソナルコンピュータ７のような外部装置に結合することができる。制御ユニット４２を公衆交換通信ネットワーク１４に結合するために、制御ユニット４２はラインインターフェース回路４９を具える。
図３は本発明によるシステム１の接続セットアップおよび接続変型を示す。時刻ｔの関数としてのイベントは、外部制御装置としての対話式グラフィカルタブレット６、パーソナルコンピュータ７、プロセッサ３７、およびプロセッサ４７に対して示される。垂直ラインはイベントの発信側と受信側とを示し、特にＥ６は対話式グラフィカルタブレット６を示し、Ｅ３７はプロセッサ３７を示し、Ｅ４７はプロセッサ４７を示し、Ｅ７はパーソナルコンピュータ７を示す。シグナリングダイアグラムを不必要に複雑にしないようにするために、ＤＥＣＴ−コントローラ３３および４３のレベルの詳細なシグナリングを省略した。かかるシグナリングは既知である。本発明を理解する上で必要な場合には、一層詳細なシグナリングの原理を示す。ステーション２および３間には無線リンクはセットアップされておらず、且つ、ステーション２はＤＥＣＴベースステーション（基地局）として機能するステーション３へのロックオンを最初に試みるアイドルモードにおいてＤＥＣＴ−送受器として機能するものとする。ＤＥＣＴにおいては、各時刻において各基地局は少なくともベアラ上でアクティブ状態になり、送受器はこれらがそうすることを認証する際基地局に常時ロックオンされ得るようになる。イベントＢ−ＳＹＮでは、プロセッサ３７はステーション２に無線フロントエンドユニット３０を経て同期メッセージを送信開始する。ロックオンに成功したとすると、アイドルモードにおいてステーション２はステーション３にロックオンされる。上位レイヤレベルは、プロセッサ３７はコーデック路３６を経てセットアップ命令ＳＵ＿ｎを得てｎ本のチャネルのセットアップを開始する。ここにｎは正の整数である。この例でｎ＝２とし、ＤＥＣＴにおいてチャネルは周波数−タイムスロットの組合せとする。プロセッサ３７は命令ＳＵ＿ｎを解釈してエアインタフェースを経て下位レイヤレベルのセットアップ要求すなわちイベントＬＳＵ＿１のステーション３への送出を開始して第１チャネルを得る。チャネルが得られると、プロセッサ４７は、第１チャネルが割当てられたことを示すために、インディケーションＩ＿ＣＨ１をパーソナルコンピュータ７へ送出し、エアインターフェースを経てステーション２へ送出されるべき第１チャネル割当て確認Ａ＿ＣＨ１を開始する。同様にイベントＬＵＳ＿２およびインディケーションＩ＿ＣＨ２並びに確認Ａ＿ＣＨ２が個別のプロセッサ３７および４７によって開始される。すべての要求された割当てが成功すると、プロセッサ３７は確認イベントＡ＿ＯＫをコーデック路３６を経て関連する外部装置に送出開始する。本例では２つの無線チャネルがセットアップされた。その後プロセッサ３７はコーデック路３６を経て２つのデータチャネルｄに対する接続要求Ｃ１＿ＲＱ（２ｄ）を得る。現在音声チャネルは必要としない。下位レイヤレベルでは、この接続要求Ｃ１＿ＲＱ（２ｄ）は、関連するコードをスイッチオフしたり、関連するデータバッファを初期化したり、あるいは同様のことをしたりするための複数のサブ要求になる。シグナリングダイアグラムにおいて、これを、要求イベントＬＣ１＿ＲＱ、パーソナルコンピュータ７へのインディケーションＩ＿Ｄ２および確認イベントＡ＿Ｃ１＿ＲＱによって線図的に示す。全てが正しい場合には上位レイヤレベルでプロセッサはコーデック路３６を経て確認命令Ａ＿ＲＱ＿ＯＫ１の送出を開始する。その後、論理レベルで各々が３２kbit/sの２つの同時データチャネルが信頼性のあるデータ通信に対して利用可能となる。この目的のために、信頼性のあるデータ伝送プロトコルが２つのデータチャネルの各ＲＯＭメモリ３８および４８からプロセッサ３７および４７によってロードされ、データ通信が開始し得る。送受器８がオフフックされるか、または着信接続要求が受信されることで、上位レベルのアプリケーションは非音声データ通信に割当てられたチャネルの１つで音声通信を開始することを要求するものとする。次いで、上位レベルのレイヤまたはアプリケーションが音声およびデータチャネルに対する他の接続要求Ｃ２＿ＲＱ（ｖ＆ｄ）をプロセッサ３７に送出開始する。プロセッサ３７および４７による下位レベル要求および確認メッセージＬＣ２＿ＲＱおよびＡ＿Ｃ２＿ＲＱの処理後、プロセッサ３７はコーデック路３６を経る確認メッセージＡ＿ＲＱ＿ＯＫ２の送出を開始する。要求ＬＣ２＿ＲＱの開始後プロセッサ４７はインディケーションＩ＿ＶＤをパーソナルコンピュータ７に送出する。この際データ転送の中断はなく、更なるデータ転送がより低い３２kbit/sレートで発生する場合でも音声通信を極めて迅速に開始することができる。同様に音声通信を最早必要としない場合には再びデータ転送レートを高いビットレートに変更することができる。本発明の基本形態では、１つのチャネルのみが最初にセットアップされるが、これは、１つよりも多くのチャネルのセットアップに対しては、音声通信を必要とする際にデータ転送が一時的に中断されるという不便を有する。２つ以上のチャネルが最初にセットアップされる際には、非音声データ通信ビットレートの変更が一層ゆるやかになる利点がある。
図４は本発明によるシステム１の音声および非音声データのメッセージフォーマットを示す。図４にはリアルタイム音声データのような保護されていないデータに対するＤＥＣＴ-ＭＡＣ-層データフォーマットＵＤＦと、信頼性のある非音声データのような保護されたデータに対するＤＥＣＴ−ＭＡＣ層データフォーマットＰＤＦとを示す。論理制御チャネルＬＣＨは４８ビットを占有し、１６ビットのＣＲＣ（巡回冗長コード）には３２０ビットの保護されていないデータＵＰＤ、および４つの６４ビットの保護されたデータＰＤ１，ＰＤ２，ＰＤ３およびＰＤ４がそれぞれ追従し、これら保護されたデータＰＤ１，ＰＤ２，ＰＤ３およびＰＤ４には１６ビット保護ビットＰ１，Ｐ２，Ｐ３およびＰ４がそれぞれ追従する。保護ビットＰ１，Ｐ２，Ｐ３およびＰ４は信頼性のあるデータ転送を行うためにユーザデータに付加される。さらに、信頼性のある非音声データ接続を得るために、破損メッセージの場合に、メッセージ確認および再要求が適用される。保護されていないメッセージおよび保護されたメッセージは双方とも他の目的のための４ビットのトレーラビットＸを有する。音声モードから非音声モードへの切換え時にＤＥＣＴ−コントローラ３３および４３は各プロセッサ３７および４７により命令されて適宜のメッセージプロトコルを供給する。
図５は本発明によるシステム１の２つのステーション２および３間の信頼性のある非音声データ転送のスライディングウインドウプロトコルＳＷＩＮを示す。左側には転送パケットＴＰのパイルを示し、右側には受信パケットのパイルを示す。左側には、送信時にパケットに沿つてスライドするスライディングウインドウＷＩＮが示され、“Ｂｕｓｙ”と表される。また、左側には“Ｄｏｎｅ”と表わされる既に転送されたパケット、および“ＴｏＤｏ”と表されているいまだ送信すべきパケットをも示す。同様に、受信側では受信パケットは既に受信されたパケットに“Ｒｅｃ”を付して示し、空のバッファ位置にさらに受信すべきパケットに対しては“Ｅｍｐｔｙ”を付して示す。矢印“ＡＣＱ”および“ＤＡＴＡ”はパケット確認および伝送データ流を示す。時間が経過するに連れて、ウインドウＷＩＮは伝送パケットに沿ってスライドする。かかる公知のプロトコルは、余分のバッファを必要とせず、従って余分の伝送遅延が存在せず、再接続に対して透過である。その理由はプロトコル情報が接続中保持されるからである。このプロトコルをステーション２および３に適用する。
【図１】
0003801209.tif 000002
【図２】
0003801209.tif 000003
【図３】
0003801209.tif 000004
【図４】
0003801209.tif 000005
【図５】
0003801209.tif 000006